(57)【要約】【課題】固定の信号パターンでは検出できない故障を検出し、また、動作中においても故障を検出する。【解決手段】信号処理回路１ａ，１ｂ，…，１ｎは、同様の信号処理を行う回路である。信号方路手段２は、複数の信号処理回路１ａ，１ｂ，…，１ｎの信号処理を行っていない空きの信号処理回路１ｂに、信号処理を行っている運用中の信号処理回路１ａに入力されている信号を入力する。故障検出手段３は、運用中の信号処理回路１ａから出力される運用出力信号と、空きの信号処理回路１ｂから出力される空き出力信号とを比較して、故障検出をする。【選択図】図１
2007251495.tif 000002
【特許請求の範囲】
【請求項１】
故障検出を行う電子機器において、
同様の信号処理を行う複数の信号処理回路と、
前記複数の信号処理回路の前記信号処理を行っていない空き信号処理回路に、前記信号処理を行っている運用信号処理回路に入力されている信号を入力する信号方路手段と、
前記運用信号処理回路から出力される運用出力信号と前記空き信号処理回路から出力される空き出力信号とを比較して故障検出をする故障検出手段と、
を有することを特徴とする電子機器。
【請求項２】
前記信号方路手段は、前記故障検出手段の比較結果に基づいて前記信号を別の前記空き信号処理回路に入力することを特徴とする請求項１記載の電子機器。
【請求項３】
ブロック単位に分けられた前記複数の信号処理回路から出力される出力信号を、前記ブロック単位ごとに多重化する多重回路をさらに有し、
前記信号方路手段は、前記ブロック単位の前記空き信号処理回路に、前記ブロック単位の前記運用信号処理回路に入力されている前記信号を入力し、
前記故障検出手段は、前記運用信号処理回路の前記出力信号を多重化した前記多重回路の運用多重信号と前記空き信号処理回路の前記出力信号を多重化した前記多重回路の空き多重信号とを比較する、
ことを特徴とする請求項１記載の電子機器。
【請求項４】
前記信号方路手段は、前記故障検出手段の比較結果に基づいて前記信号を別の前記ブロック単位の前記空き信号処理回路に入力することを特徴とする請求項３記載の電子機器。
【請求項５】
故障検出を行う電子機器において、
チャネルごとに複数設けられ、同じ前記チャネルの複数の信号を信号処理する信号処理回路と、
前記信号に対して前記信号処理回路が同じ前記信号処理をするように制御する信号処理制御手段と、
前記信号処理回路から出力される出力信号を比較して故障検出をする故障検出手段と、
を有することを特徴とする電子機器。
【発明の詳細な説明】
【技術分野】
【０００１】
本発明は電子機器に関し、特に故障検出を行う電子機器に関する。
【背景技術】
【０００２】
従来、固定の信号パターンを回路に入力し、正常な場合の出力結果と比較して、回路の故障検出を行う故障検出方法がある。例えば、変換処理回路に検証チャネルを設け、検証チャネルの出力と期待値とを比較して、変換処理回路の故障を検出する故障検出方式がある（例えば、特許文献１参照）。また、入力した受信データと、ドライバの入力側における送信データとを比較し、比較結果が不一致である場合に、送信データのデータ伝送に異常が発生したものと判定するデータ伝送異常検出方式がある（例えば、特許文献２参照）。
【特許文献１】特開昭６０−２２６０００号公報
【特許文献２】特開平７−１６０６００号公報
【発明の開示】
【発明が解決しようとする課題】
【０００３】
しかし、固定の信号パターンでは期待値通りの信号が出力されるが、別の信号パターンでは期待値通りの信号が出力されない場合があり、固定の信号パターンでは検出できない故障もあるという問題点があった。
【０００４】
また、電子機器の動作中における故障の判断は難しく、動作を停止して故障検出を行わなければならないという問題点があった。
本発明はこのような点に鑑みてなされたものであり、固定の信号パターンでは検出できない故障を検出でき、また、動作中においても故障を検出することができる電子機器を提供することを目的とする。
【課題を解決するための手段】
【０００５】
本発明では上記問題を解決するために、図１に示すような故障検出を行う電子機器において、同様の信号処理を行う複数の信号処理回路１ａ，１ｂ，…，１ｎと、複数の信号処理回路１ａ，１ｂ，…，１ｎの信号処理を行っていない空き信号処理回路に、信号処理を行っている運用信号処理回路に入力されている信号を入力する信号方路手段２と、運用信号処理回路から出力される運用出力信号と空き信号処理回路から出力される空き出力信号とを比較して故障検出をする故障検出手段３と、を有することを特徴とする電子機器が提供される。
【０００６】
このような電子機器によれば、信号処理を行っている運用信号処理回路に入力されている信号を、信号処理を行っていない空き信号処理回路に入力するようにし、運用信号処理回路から出力される運用出力信号と、空き信号処理回路から出力される空き出力信号とを比較して故障判断する。これにより、固定の信号パターンを用いることなく、信号処理が行われる信号を用いて、故障検出することができる。また、空き信号処理回路を用いて故障検出を行うため、運用信号処理回路を動作させたまま故障検出を行うことができる。
【発明の効果】
【０００７】
本発明の電子機器では、信号処理を行っている運用信号処理回路に入力されている信号を、信号処理を行っていない空き信号処理回路に入力するようにし、運用信号処理回路から出力される運用出力信号と、空き信号処理回路から出力される空き出力信号とを比較して、故障判断をするようにした。これによって、固定の信号パターンを用いることなく、信号処理が行われる信号を用いて、故障検出をするので、固定の信号パターンでは検出できない故障を検出することが可能となる。また、空き信号処理回路を用いて故障検出を行うため、運用信号処理回路を動作させたまま故障検出ができ、動作中においても故障を検出することができる。
【発明を実施するための最良の形態】
【０００８】
以下、本発明の原理を、図面を参照して詳細に説明する。
図１は、電子機器の概要を説明する図である。図に示すように電子機器は、複数の信号処理回路１ａ，１ｂ，…，１ｎ、信号方路手段２、および故障検出手段３を有している。
【０００９】
信号処理回路１ａ，１ｂ，…，１ｎは、同様の信号処理を行う回路である。
信号方路手段２は、複数の信号処理回路１ａ，１ｂ，…，１ｎの信号処理を行っていない空きの信号処理回路に、信号処理を行っている運用中の信号処理回路に入力されている信号を入力する。
【００１０】
例えば、信号処理回路１ａを、信号処理を行っている運用中の信号処理回路、信号処理回路１ｂを、信号処理を行っていない空きの信号処理回路とする。この場合、信号方路手段２は、信号処理回路１ａに入力される信号を、信号処理回路１ｂにも入力する。
【００１１】
故障検出手段３は、運用中の信号処理回路から出力される運用出力信号と、空きの信号処理回路から出力される空き出力信号とを比較して、故障検出をする。上記例の場合、信号処理回路１ａから出力される信号と、信号処理回路１ｂから出力される信号とを比較して、故障検出をする。
【００１２】
運用中の信号処理回路１ａと、空きの信号処理回路１ｂには、信号方路手段２によって同じ信号が入力される。従って、信号処理回路１ａ，１ｂの一方または両方に故障が発生していれば、信号処理回路１ａ，１ｂから出力される信号の比較結果は異なり、故障検出手段３は、信号処理回路１ａ，１ｂの一方または両方に故障が発生していると判断できる。
【００１３】
そして、信号方路手段２は、運用中の信号処理回路１ａと、空きの信号処理回路１ｂとに同じ信号を入力し、故障検出手段３は、その出力を比較するので、信号処理回路１ａ，１ｂに固定の信号パターンを入力して、故障検出をする必要がない。すなわち、運用中の信号処理回路１ａに入力される任意の信号を用いて、故障検出をすることができる。また、信号処理が行われていない空きの信号処理回路１ｂを用いて故障検出をすることにより、動作を停止する必要がない。
【００１４】
このように、信号処理を行っている運用中の信号処理回路に入力されている信号を、信号処理を行っていない空きの信号処理回路に入力するようにし、運用中の信号処理回路から出力される運用出力信号と、空きの信号処理回路から出力される空き出力信号とを比較して、故障判断をするようにした。これによって、固定の信号パターンを用いることなく、信号処理が行われる信号を用いて、故障検出をするので、固定の信号パターンでは検出できない故障を検出することが可能となる。また、空きの信号処理回路を用いて故障検出を行うため、運用中の信号処理回路を動作させたまま故障検出ができ、動作中においても故障を検出することができる。
【００１５】
次に、本発明の第１の実施の形態を、図面を参照して詳細に説明する。
図２は、第１の実施の形態に係る電子機器のブロック構成図である。図に示すように電子機器は、セレクタ（ＳＥＬ）１１ａ，１１ｂ，…，１１ｎ、受信処理回路１２ａ，１２ｂ，…，１２ｎ、比較部１３、セレクタ１４ａ，１４ｂ，…，１４ｎ、送信処理回路１５ａ，１５ｂ，…，１５ｎ、比較部１６、故障検出部１７、およびリソース管理部１８を有している。
【００１６】
電子機器は、例えば、基地局に設置され、端末とＩＭＴ−２０００の通信をする通信装置である。電子機器には、複数のチャネルの信号ＩＮｒ１，ＩＮｒ２，…，ＩＮｒｎが入力される。信号ＩＮｒ１，ＩＮｒ２，…，ＩＮｒｎは、受信処理回路１２ａ，１２ｂ，…，１２ｎによって受信処理がされ、内部回路に信号ＯＵＴｒ１，ＯＵＴｒ２，…，ＯＵＴｒｎとして出力される。また、電子機器は、内部回路からの信号ＩＮｓ１，ＩＮｓ２，…，ＩＮｓｎを、送信処理回路１５ａ，１５ｂ，…，１５ｎによって送信処理し、外部に信号ＯＵＴｓ１，ＯＵＴｓ２，…，ＯＵＴｓｎとして出力する。
【００１７】
なお、セレクタ１１ａ，１１ｂ，…，１１ｎ、受信処理回路１２ａ，１２ｂ，…，１２ｎ、および比較部１３は、受信系の回路であり、セレクタ１４ａ，１４ｂ，…，１４ｎ、送信処理回路１５ａ，１５ｂ，…，１５ｎ、および比較部１６は、送信系の回路である。
受信系のセレクタ１１ａ，１１ｂ，…，１１ｎおよび受信処理回路１２ａ，１２ｂ，…，１２ｎは、チャネルごと（信号ＩＮｒ１，ＩＮｒ２，…，ＩＮｒｎごと）に処理を行い、セレクタ１１ａおよび受信処理回路１２ａで１チャネル、セレクタ１１ｂおよび受信処理回路１２ｂで１チャネル、セレクタ１１ｎおよび受信処理回路１２ｎで１チャネルに対応している。同様に、送信系のセレクタ１４ａ，１４ｂ，…，１４ｎ、送信処理回路１５ａ，１５ｂ，…，１５ｎもチャネルごとに処理を行い、セレクタ１４ａおよび送信処理回路１５ａで１チャネル、セレクタ１４ｂおよび送信処理回路１５ｂで１チャネル、セレクタ１４ｎおよび送信処理回路１５ｎで１チャネルに対応している。
【００１８】
セレクタ１１ａ，１１ｂ，…，１１ｎのそれぞれには、各チャネルの信号ＩＮｒ１，ＩＮｒ２，…，ＩＮｒｎが入力される。セレクタ１１ａ，１１ｂ，…，１１ｎは、リソース管理部１８からの制御信号に応じて、所定のチャネルの信号ＩＮｒ１，ＩＮｒ２，…，ＩＮｒｎを受信処理回路１２ａ，１２ｂ，…，１２ｎに出力する。
【００１９】
受信処理回路１２ａ，１２ｂ，…，１２ｎは、セレクタ１１ａ，１１ｂ，…，１１ｎから出力される信号ＩＮｒ１，ＩＮｒ２，…，ＩＮｒｎの受信処理をし、信号ＯＵＴｒ１，ＯＵＴｒ２，…，ＯＵＴｒｎを出力する。受信処理回路１２ａ，１２ｂ，…，１２ｎは、リソース管理部１８からの制御信号に応じて、信号ＩＮｒ１，ＩＮｒ２，…，ＩＮｒｎの受信処理をする。
【００２０】
比較部１３は、受信処理回路１２ａ，１２ｂ，…，１２ｎから出力される信号ＯＵＴｒ１，ＯＵＴｒ２，…，ＯＵＴｒｎの比較を行う。比較部１３は、リソース管理部１８からの制御信号に応じて、信号ＯＵＴｒ１，ＯＵＴｒ２，…，ＯＵＴｒｎの比較を行う。
【００２１】
リソース管理部１８は、使用されているチャネルと使用されていないチャネルとを認識し、使用されているチャネルに対しては、信号ＩＮｒ１，ＩＮｒ２，…，ＩＮｒｎが受信処理回路１２ａ，１２ｂ，…，１２ｎに出力されるように、制御信号をセレクタ１１ａ，１１ｂ，…，１１ｎに出力する。また、所定の受信処理が行われるように、受信処理回路１２ａ，１２ｂ，…，１２ｎに制御信号を出力する。
【００２２】
受信処理回路１２ａ，１２ｂ，…，１２ｎに出力する制御信号には、パラメータが含まれている。受信処理回路１２ａ，１２ｂ，…，１２ｎは、パラメータに従った処理を行う。パラメータは、例えば、ＣＤＭＡ（Code Division Multiple Access）の復調に使用するコードや、信号の電力調整を行うためのデータが含まれる。
【００２３】
例えば、リソース管理部１８は、チャネル１（ＣＨ１）が使用される場合、つまり、信号ＩＮｒ１が入力される場合、信号ＩＮｒ１が受信処理回路１２ａで受信処理されるように、セレクタ１１ａに制御信号を出力する。また、所定の受信処理が行われるように、受信処理回路１２ａに制御信号を出力する。
【００２４】
ところで、信号ＩＮｒ１，ＩＮｒ２，…，ＩＮｒｎは、全チャネル同時に入力されることもあるが、一部使用されず、入力されないチャネルもある。例えば、端末を所有するユーザが、同時に全員使用することもあるが、一般的には稀である。従って、使用されていないチャネルに対応する受信処理回路１２ａ，１２ｂ，…，１２ｎは、空いている（動作していない）場合がある。電子機器は、使用されているチャネルの受信処理回路１２ａ，１２ｂ，…，１２ｎと、空いている受信処理回路１２ａ，１２ｂ，…，１２ｎを利用して、故障検出を行う。
【００２５】
例えば、ＣＨ１は使用され、ＣＨ２は使用されていないとする。この場合、リソース管理部１８は、信号ＩＮｒ１が受信処理回路１２ａで処理されるようにセレクタ１１ａに制御信号を出力するとともに、空いている受信処理回路１２ｂにも信号ＩＮｒ１が出力されるようにセレクタ１１ｂに制御信号を出力する。また、リソース管理部１８は、受信処理回路１２ａと同じ処理がされるように、受信処理回路１２ｂに受信処理回路１２ａと同じパラメータの制御信号を出力する。
【００２６】
これによって、受信処理回路１２ａ，１２ｂが正常であれば、受信処理回路１２ａ，１２ｂからは、同じ信号ＯＵＴｒ１，ＯＵＴｒ２が出力される。比較部１３は、リソース管理部１８からの制御信号に応じて、信号ＯＵＴｒ１，ＯＵＴｒ２を比較し、比較結果が異なれば、ＣＨ１，ＣＨ２の一方の受信処理回路１２ａ，１２ｂは故障していると判断できる。
【００２７】
すなわち、空いている受信処理回路１２ａ，１２ｂ，…，１２ｎに、動作中の受信処理回路１２ａ，１２ｂ，…，１２ｎに入力される信号ＩＮｒ１，ＩＮｒ２，…，ＩＮｒｎを入力し、これらの出力を比較することにより、故障を検出する。
【００２８】
なお、送信系のセレクタ１４ａ，１４ｂ，…，１４ｎ、送信処理回路１５ａ，１５ｂ，…，１５ｎ、比較部１６も、受信系のセレクタ１１ａ，１１ｂ，…，１１ｎ、送信処理回路１２ａ，１２ｂ，…，１２ｎ、比較部１３と同様の動作をする。リソース管理部１８は、使用されるチャネルと、使用されていない空きチャネルとの送信処理回路１５ａ，１５ｂ，…，１５ｎに、内部回路からの信号ＩＮｓ１，ＩＮｓ２，…，ＩＮｓｎが出力されるようセレクタ１４ａ，１４ｂ，…，１４ｎに制御信号を出力する。また、空きチャネルの送信処理回路１５ａ，１５ｂ，…，１５ｎには、使用されるチャネルの送信処理回路１５ａ，１５ｂ，…，１５ｎと同じパラメータの制御信号を出力する。
【００２９】
比較部１６は、リソース管理部１８からの制御信号に応じて、使用されているチャネルの送信処理回路１５ａ，１５ｂ，…，１５ｎから出力される信号ＯＵＴｓ１，ＯＵＴｓ２，…，ＯＵＴｓｎと、空きチャネルの送信処理回路１５ａ，１５ｂ，…，１５ｎから出力される信号ＯＵＴｓ１，ＯＵＴｓ２，…，ＯＵＴｓｎとを比較して、故障を検出する。
【００３０】
故障検出部１７は、比較部１３，１６からの比較結果が入力され、一方の比較部１３，１６から不一致の比較結果が出力されれば、例えば、故障している旨の警報を出力する。
次に、比較部１３の具体的なブロック構成について説明する。
【００３１】
図３は、比較部の具体的なブロック構成図である。比較部１３は、信号ＯＵＴｒ１と信号ＯＵＴｒ２，ＯＵＴｒ３，…，ＯＵＴｒｎとを比較するＣＨ１／ＣＨ２比較部、ＣＨ１／ＣＨ３比較部、…、ＣＨ１／ＣＨｎ比較部を有している。また、比較部１３は、信号ＯＵＴｒ２と信号ＯＵＴｒ３，ＯＵＴｒ４，…，ＯＵＴｒｎとを比較するＣＨ２／ＣＨ３比較部、ＣＨ２／ＣＨ４比較部、…、ＣＨ２／ＣＨｎ比較部を有している。以下同様に、信号ＯＵＴｒｎ−１と信号ＯＵＴｒｎとを比較するＣＨｎ−１／ＣＨｎ比較部を有している。図には、ＣＨ１／ＣＨ２比較部２１ａ、…、ＣＨ１／ＣＨｎ比較部２１ｋと、ＣＨ２／ＣＨ３比較部２２ａ、…、ＣＨ２／ＣＨｎ比較部２２ｌ、…が示してある。
【００３２】
比較部１３は、信号ＯＵＴｒ１，ＯＵＴｒ２，…，ＯＵＴｒｎの全ての組み合わせを比較できるようにＣＨ１／ＣＨ２比較部２１ａ、…、ＣＨ１／ＣＨｎ比較部２１ｋと、ＣＨ２／ＣＨ３比較部２２ａ、…、ＣＨ２／ＣＨｎ比較部２２ｌ、…を有している。ＣＨ１／ＣＨ２比較部２１ａ、…、ＣＨ１／ＣＨｎ比較部２１ｋと、ＣＨ２／ＣＨ３比較部２２ａ、…、ＣＨ２／ＣＨｎ比較部２２ｌ、…は、リソース管理部１８からの制御信号に応じて、所定の組み合わせの信号ＯＵＴｒ１，ＯＵＴｒ２，…，ＯＵＴｒｎの比較を行う。ＣＨ１／ＣＨ２比較部２１ａ、…、ＣＨ１／ＣＨｎ比較部２１ｋと、ＣＨ２／ＣＨ３比較部２２ａ、…、ＣＨ２／ＣＨｎ比較部２２ｌ、…は、比較結果を図２で示した故障検出部１７に出力する。
【００３３】
なお、比較部１６も比較部１３と同様の構成を有し、信号ＯＵＴｓ１，ＯＵＴｓ２，…，ＯＵＴｓｎの全ての組み合わせを比較できるように比較部を有している。
次に、故障検出部１７について説明する。
【００３４】
図４は、故障検出部の具体的なブロック構成図である。故障検出部１７は、ＯＲ部３１〜３３を有している。
ＯＲ部３１には、比較部１３から、信号ＯＵＴｒ１，ＯＵＴｒ２，…，ＯＵＴｒｎの全ての組み合わせにおける比較結果の信号が入力される。図には、信号ＯＵＴｒ１，ＯＵＴｒ２の比較結果を示す比較結果信号ＣＨｒ１／ＣＨｒ２、…、信号ＯＵＴｒｎ−１，ＯＵＴｒｎの比較結果を示す比較結果信号ＣＨｒｎ−１／ＣＨｒｎが示してある。ＯＲ部３１は、入力される信号をＯＲ演算し、ＯＲ部３３に出力する。
【００３５】
ＯＲ部３２には、比較部１６から、信号ＯＵＴｓ１，ＯＵＴｓ２，…，ＯＵＴｓｎの全ての組み合わせにおける比較結果の信号が入力される。図には、信号ＯＵＴｓ１，ＯＵＴｓ２の比較結果を示す比較結果信号ＣＨｓ１／ＣＨｓ２、…、信号ＯＵＴｓｎ−１，ＯＵＴｓｎの比較結果を示す比較結果信号ＣＨｓｎ−１／ＣＨｓｎが示してある。ＯＲ部３２は、入力される信号をＯＲ演算し、ＯＲ部３３に出力する。
【００３６】
ＯＲ部３３は、ＯＲ部３１から出力される信号とＯＲ部３２から出力される信号とのＯＲ演算をし、警告信号ＡＬＭを出力する。すなわち、ＯＲ部３３は、ＯＲ部３１，３２に比較結果が異なった旨の信号が入力されれば、警告信号ＡＬＭを出力する。これによって、電子機器の保守者は、電子機器に故障が発生したことを知ることができる。
【００３７】
このように、信号処理を行っている運用中の回路に入力されている信号を、信号処理を行っていない空きの回路に入力するようにし、運用中の回路から出力される信号と、空きの回路から出力される信号とを比較して、故障判断をするようにした。これによって、固定の信号パターンを用いることなく、信号処理が行われる信号を用いて、故障検出をするので、固定の信号パターンでは検出できない故障を検出することが可能となる。また、空きの回路を用いて故障検出を行うため、運用中の回路を動作させたまま故障検出ができ、動作中においても故障を検出することができる。
【００３８】
特に、上記のように、電子機器を通信装置に適用する場合、信号ＩＮｒ１，ＩＮｒ２，…，ＩＮｒｎは、音声信号等であるため、様々なパターンの信号が入力され、固定の信号パターンで検出できない故障を、より検出することが可能となる。
【００３９】
また、固定の信号パターンを発生するための回路が不要であるので、回路を簡素化でき、コスト低減を図ることができる。
次に、本発明の第２の実施の形態を、図面を参照して詳細に説明する。第１の実施の形態では、チャネルの故障の発生を知らせることはできるが、処理を適正なチャネルに切替えて、処理を続行することはできない。第２の実施の形態では、あるチャネルに故障が発生すると、処理を空きチャネルに切替えて、処理を続行できるようにする。
【００４０】
図５は、第２の実施の形態に係る電子機器のブロック構成図である。図において、図２と同じ部分には同じ符号を付し、その詳細な説明は省略する。
リソース管理部４１には、故障検出部１７の警告信号が入力される。リソース管理部４１は、故障検出部１７から警告信号が出力されると、現在信号の比較が行われている、運用中の（チャネルが使用されている）受信処理回路１２ａ，１２ｂ，…，１２ｎを固定し、比較相手の空きの受信処理回路１２ａ，１２ｂ，…，１２ｎを、次の空きの受信処理回路１２ａ，１２ｂ，…，１２ｎに切替える。この切替えは、警告信号が出力されなくなるまで行う。チャネルが空いていた全ての受信処理回路１２ａ，１２ｂ，…，１２ｎを切替えた場合、リソース管理部４１は、固定していた受信処理回路１２ａ，１２ｂ，…，１２ｎを、チャネルの空いている受信処理回路１２ａ，１２ｂ，…，１２ｎに切替える。そして、上記と同様に、チャネルが空いている受信処理回路１２ａ，１２ｂ，…，１２ｎの切替えを、警告信号が出力されなくなるまで行う。なお、リソース管理部４１は、送信系においても同様の処理を行う。
【００４１】
次に、図５の電子機器の動作を、フロー図を用いて説明する。
図６は、電子機器の動作を説明するフロー図である。
［ステップＳ１］電子機器は、信号ＩＮｒ１，ＩＮｒ２，…，ＩＮｒｎの受信を開始する。
【００４２】
［ステップＳ２］リソース管理部４１は、正規受信ＣＨによる受信処理を行う。すなわち、リソース管理部４１は、チャネル運用される受信処理回路１２ａ，１２ｂ，…，１２ｎに信号ＩＮｒ１，ＩＮｒ２，…，ＩＮｒｎが入力されるように制御する。例えば、リソース管理部４１は、受信処理回路１２ａに信号ＩＮｒ１が入力されるようにする。
【００４３】
［ステップＳ３］リソース管理部４１は、予備受信ＣＨによる受信処理を行う。すなわち、リソース管理部４１は、正規受信ＣＨで受信処理が行われる信号を、空きチャネルの受信処理回路１２ａ，１２ｂ，…，１２ｎに入力されるように制御し、受信処理が行われるようにする。
【００４４】
例えば、受信処理回路１２ｂが空きチャネルである場合、リソース管理部４１は、正規受信ＣＨ（受信処理回路１２ａ）で処理される信号ＩＮｒ１を、受信処理回路１２ｂに入力されるように制御し、受信処理回路１２ｂによって受信処理が行われるようにする。
【００４５】
［ステップＳ４］故障検出部１７は、リソース管理部４１の制御に基づいて、正規受信ＣＨによって受信処理された信号と、予備受信ＣＨによって受信処理された信号とのＥｏｒ（Exclusive OR）による比較を行う。すなわち、故障検出部１７は、運用中チャネルの受信処理回路１２ａから出力される信号ＯＵＴｒ１と、空きチャネルの受信処理回路１２ｂから出力される信号ＯＵＴｒ２との排他的論理和をとる。比較結果が一致（ＯＫ）すれば、ステップＳ５へ進む。比較結果が一致しなければ（ＮＧ）、すなわち、受信処理回路１２ａ，１２ｂのどちらか一方がまたは両方が故障している場合は、ステップＳ６へ進む。
【００４６】
［ステップＳ５］リソース管理部４１は、正規受信ＣＨは正常であると判断し、処理を継続する。すなわち、リソース管理部４１は、例えば、電子機器が通信装置である場合、通信処理（通話処理）が終了するまで、信号ＩＮｒ１が正規受信ＣＨである受信処理回路１２ａによって受信処理されるように処理を継続する。
【００４７】
［ステップＳ６］リソース管理部４１は、別リソースで信号が受信されるようにする。
［ステップＳ７］リソース管理部４１は、別の予備受信ＣＨによって受信処理が行われるように制御する。
【００４８】
［ステップＳ８］故障検出部１７は、リソース管理部４１の制御に基づいて、正規受信ＣＨによって受信処理された信号と、ステップＳ７の別の予備受信ＣＨによって受信処理された信号とのＥｏｒによる比較を行う。比較結果が一致すれば、ステップＳ５へ進む。比較結果が一致しなければ、ステップＳ９へ進む。
【００４９】
［ステップＳ９］リソース管理部４１は、Ｅｏｒによる一致比較がＯＫになるまで、予備受信ＣＨを切替える。この間、故障検出部１７によって、正規受信ＣＨと予備受信ＣＨとの比較結果が一致すれば、ステップＳ５へ進む。正規受信ＣＨと予備受信ＣＨの全てにおいて、比較結果が一致しない場合、すなわち、正規受信ＣＨに故障が発生している場合、ステップＳ１０へ進む。
【００５０】
［ステップＳ１０］リソース管理部４１は、別リソースで信号が受信されるようにする。
［ステップＳ１１］リソース管理部４１は、別の正規受信ＣＨによって受信処理が行われるように制御する。例えば、空きチャネルの受信処理回路１２ｂを正規受信ＣＨとして、受信処理が行われるように制御する。
【００５１】
［ステップＳ１２］故障検出部１７は、リソース管理部４１の制御に基づいて、ステップＳ１１の正規受信ＣＨによって受信処理された信号と、予備受信ＣＨによって受信処理された信号とのＥｏｒによる比較を行う。比較結果が一致すれば、ステップＳ５へ進む。比較結果が一致しなければ、ステップＳ１３へ進む。
【００５２】
［ステップＳ１３］リソース管理部４１は、故障検出部１７の比較結果が一致するまで、予備受信ＣＨを切替える。全ての予備受信ＣＨにおいて、比較結果が一致しなかった場合、正規受信ＣＨを切替える。この処理を繰り返し、全ての正規受信ＣＨにおいて、比較結果が一致しなかった場合、警告信号ＡＬＭ１を出力する。すなわち、全ての受信処理回路１２ａ，１２ｂ，…，１２ｎが故障である場合、警告信号ＡＬＭ１を出力する。
【００５３】
なお、送信系においても、上記のフローと同様の動作をし、その説明を省略する。
このように、電子機器は、故障検出部１７から警告信号が出力されると、警告信号が出力されなくなるまで、チャネルの空いた受信処理回路１２ａ，１２ｂ，…，１２ｎおよび送信処理回路１５ａ，１５ｂ，…，１５ｎを切替えていく。そして、全てのチャネルの空いた受信処理回路１２ａ，１２ｂ，…，１２ｎおよび送信処理回路１５ａ，１５ｂ，…，１５ｎにおいて、警告信号が出力されると、運用中の受信処理回路１２ａ，１２ｂ，…，１２ｎおよび送信処理回路１５ａ，１５ｂ，…，１５ｎを切替えていく。これによって、あるチャネルに故障が発生すると、適正なチャネルに切替え、通信処理を続行することができる。
【００５４】
また、故障した受信処理回路１２ａ，１２ｂ，…，１２ｎおよび送信処理回路１５ａ，１５ｂ，…，１５ｎを特定することが可能となる。例えば、図６で説明したように、ある正規受信ＣＨにおいて、全ての予備受信ＣＨとの比較結果が一致しなかった場合、その正規受信ＣＨは故障していると判断することができる。
【００５５】
次に、本発明の第３の実施の形態を、図面を参照して詳細に説明する。第１の実施の形態では、チャネルごとの信号を比較して故障判断をする。従って、チャネル数が多くなると、処理回数も増える。第３の実施の形態では、チャネルをいくつかにまとめてブロック単位とし、ブロック単位ごとに、信号の比較を行って故障判断をする。
【００５６】
図７は、第３の実施の形態に係る電子機器のブロック構成図である。図に示すように電子機器は、セレクタ５１、受信処理回路５２ａ，５２ｂ，…，５２ｎ、５３ａ，５３ｂ，…，５３ｎ、５４ａ，５４ｂ，…，５４ｎ、多重回路５５ａ〜５５ｃ、比較部５６および故障検出部５７を有している。
【００５７】
セレクタ５１には、信号ＩＮｒ１１，ＩＮｒ１２，…，ＩＮｒ１ｎ、ＩＮｒ２１，ＩＮｒ２２，…，ＩＮｒ２ｎ、ＩＮｒ３１，ＩＮｒ３２，…，ＩＮｒ３ｎが入力される。信号ＩＮｒ１１，ＩＮｒ１２，…，ＩＮｒ１ｎ、ＩＮｒ２１，ＩＮｒ２２，…，ＩＮｒ２ｎ、ＩＮｒ３１，ＩＮｒ３２，…，ＩＮｒ３ｎは、ブロックにまとめられ、例えば、電子機器が通信装置の場合、セルごとにまとめられる。図の例では、信号ＩＮｒ１１，ＩＮｒ１２，…，ＩＮｒ１ｎは、セルＣＥＬＬ１にまとめられ、信号ＩＮｒ２１，ＩＮｒ２２，…，ＩＮｒ２ｎは、セルＣＥＬＬ２にまとめられ、信号ＩＮｒ３１，ＩＮｒ３２，…，ＩＮｒ３ｎは、セルＣＥＬＬ３にまとめられている。なお、信号ＩＮｒ１１，ＩＮｒ１２，…，ＩＮｒ１ｎ、ＩＮｒ２１，ＩＮｒ２２，…，ＩＮｒ２ｎ、ＩＮｒ３１，ＩＮｒ３２，…，ＩＮｒ３ｎは、セルＣＥＬＬ１〜３ごとにおいて、さらに、チャネル１，２，…，ｎと区別される。
【００５８】
セレクタ５１は、リソース管理部５８の制御に基づいて、セルＣＥＬＬ１〜３ごとに、信号ＩＮｒ１１，ＩＮｒ１２，…，ＩＮｒ１ｎ、ＩＮｒ２１，ＩＮｒ２２，…，ＩＮｒ２ｎ、ＩＮｒ３１，ＩＮｒ３２，…，ＩＮｒ３ｎの方路を切替える。例えば、セレクタ５１は、セルＣＥＬＬ１の信号ＩＮｒ１１，ＩＮｒ１２，…，ＩＮｒ１ｎを、受信処理回路５２ａ，５２ｂ，…，５２ｎ、受信処理回路５３ａ，５３ｂ，…，５３ｎ、または受信処理回路５４ａ，５４ｂ，…，５４ｎごとに切替えて出力する。
【００５９】
受信処理回路５２ａ，５２ｂ，…，５２ｎ、５３ａ，５３ｂ，…，５３ｎ、５４ａ，５４ｂ，…，５４ｎは、図２で説明した受信処理回路１２ａ，１２ｂ，…，１２ｎと同様であり、入力される信号ＩＮｒ１１，ＩＮｒ１２，…，ＩＮｒ１ｎ、ＩＮｒ２１，ＩＮｒ２２，…，ＩＮｒ２ｎ、ＩＮｒ３１，ＩＮｒ３２，…，ＩＮｒ３ｎの受信処理を行う。
【００６０】
多重回路５５ａ〜５５ｃは、受信処理回路５２ａ，５２ｂ，…，５２ｎ、５３ａ，５３ｂ，…，５３ｎ、５４ａ，５４ｂ，…，５４ｎから出力される信号の多重処理を行い、信号ＯＵＴｒ１１，ＯＵＴｒ２１，ＯＵＴｒ３１を出力する。
【００６１】
比較部５６は、リソース管理部５８からの制御信号に応じて、使用されているセルＣＥＬＬ１〜３の受信処理回路から出力される信号と、空きセルＣＥＬＬ１〜３の受信処理回路から出力される信号とを比較して、故障を検出する。
【００６２】
故障検出部５７は、比較部５６からの比較結果が入力され、比較部５６から不一致の比較結果が出力されれば、例えば、故障している旨の警報を出力する。
なお、受信処理回路５２ａ，５２ｂ，…，５２ｎおよび多重回路５５ａで１つのセルＣＥＬＬ１に対する信号処理を行い、受信処理回路５３ａ，５３ｂ，…，５３ｎおよび多重回路５５ｂで１つのセルＣＥＬＬ２に対する信号処理を行い、受信処理回路５４ａ，５４ｂ，…，５４ｎおよび多重回路５５ｃで１つのセルＣＥＬＬ３に対する信号処理を行う。
【００６３】
ここで、セルＣＥＬＬ１の受信処理回路５２ａ，５２ｂ，…，５２ｎは運用され、ＣＥＬＬ２の受信処理回路５３ａ，５３ｂ，…，５３ｎは空きであるとする。この場合、リソース管理部５８は、セルＣＥＬＬ１の信号ＩＮｒ１１，ＩＮｒ１２，…，ＩＮｒ１ｎが、運用される受信処理回路５２ａ，５２ｂ，…，５２ｎと、空きとなっている受信処理回路５３ａ，５３ｂ，…，５３ｎとに出力されるように、セレクタ５１に制御信号を出力する。また、リソース管理部５８は、受信処理回路５２ａ，５２ｂ，…，５２ｎと、受信処理回路５３ａ，５３ｂ，…，５３ｎとで同じ受信処理がされるように同じパラメータを含む制御信号を出力する。
【００６４】
多重回路５５ａ，５５ｂは、受信処理回路５２ａ，５２ｂ，…，５２ｎと受信処理回路５３ａ，５３ｂ，…，５３ｎとから出力される信号の多重処理を行う。そして、比較部５６は、多重回路５５ａ，５５ｂから出力される信号ＯＵＴｒ１１，ＯＵＴｒ２１を比較する。故障検出部５７は、比較部５６の比較結果が一致すれば、セルＣＥＬＬ１系（受信処理回路５２ａ，５２ｂ，…，５２ｎおよび多重回路５５ａ）とセルＣＥＬＬ２系（受信処理回路５３ａ，５３ｂ，…，５３ｎおよび多重回路５５ｂ）は正常と判断できる。比較部５６の比較結果が一致しなければ、セルＣＥＬＬ１系とセルＣＥＬＬ２系は異常と判断できる。
【００６５】
このように、チャネルをまとめてブロック単位とし、ブロック単位ごとに、信号の比較を行って故障判断をする。これにより、チャネル数が多くても、比較する信号の数が減るため比較部５６の回路構成を簡素化でき、コスト低減を図ることができる。
【００６６】
なお、上記では、受信系のみについて説明したが、送信系においても同様のブロック構成によって、故障検出を行うことができる
次に、本発明の第４の実施の形態を、図面を参照して詳細に説明する。第３の実施の形態では、ブロック単位（セル）の故障の発生を知らせることはできるが、処理を適正なブロック単位に切替えて、処理を続行することはできない。第４の実施の形態では、あるブロック単位に故障が発生すると、適正なブロック単位に切替えて、処理を続行できるようにする。
【００６７】
図８は、第４の実施の形態に係る電子機器のブロック構成図である。図において、図７と同じ部分には同じ符号を付し、その詳細な説明は省略する。
リソース管理部６１には、故障検出部５７の警告信号が入力される。リソース管理部６１は、故障検出部５７から警告信号が出力されると、現在信号の比較が行われている、運用中のブロック（セル）を固定し、比較相手の空きのセルを、次の空きのセルに切替える。この切替えは、警告信号が出力されなくなるまで行う。空いているセルを全て切替えた場合、リソース管理部６１は、固定していたセルを、空いているセルに切替える。そして、上記と同様に、空いているセルの切替えを、警告信号が出力されなくなるまで行う。なお、リソース管理部６１は、送信系においても同様の処理を行う。
【００６８】
次に、図８の電子機器の動作を、フロー図を用いて説明する。
図９は、電子機器の動作を説明するフロー図である。
［ステップＳ２１］電子機器は、信号ＩＮｒ１１，ＩＮｒ１２，…，ＩＮｒ１ｎの受信を開始する。
【００６９】
［ステップＳ２２］リソース管理部６１は、正規受信セルによる受信処理を行う。すなわち、リソース管理部６１は、運用されるセルに、信号が入力されるように制御する。例えば、リソース管理部６１は、運用されるセルの受信処理回路５２ａ，５２ｂ，…，５２ｎに、信号ＩＮｒ１１，ＩＮｒ１２，…，ＩＮｒ１ｎが入力されるように制御する。
【００７０】
［ステップＳ２３］リソース管理部６１は、予備受信セルによる受信処理を行う。すなわち、リソース管理部６１は、正規受信セルに入力される信号を、空いているセルの受信処理回路に入力するように制御し、受信処理が行われるようにする。例えば、リソース管理部６１は、正規受信セル（受信処理回路５２ａ，５２ｂ，…，５２ｎ）に入力される信号を、空いている受信処理回路５３ａ，５３ｂ，…，５３ｎに入力されるように制御し、受信処理が行われるようにする。
【００７１】
［ステップＳ２４］故障検出部５７は、リソース管理部６１の制御に基づいて、正規受信セルによって受信処理され、多重化された信号と、予備受信セルによって受信処理され、多重化された信号とのＥｏｒによる比較を行う。すなわち、故障検出部５７は、運用中セルの多重回路５５ａから出力される信号ＯＵＴｒ１１と、空きセルの多重回路５５ｂから出力される信号ＯＵＴｒ２１との排他的論理和をとる。比較結果が一致すれば、ステップＳ２５へ進む。比較結果が一致しなければ、すなわち、受信処理回路５２ａ，５２ｂ，…，５２ｎ、受信処理回路５３ａ，５３ｂ，…，５３ｎのどちらか一方がまたは両方が故障している場合は、ステップＳ２６へ進む。
【００７２】
［ステップＳ２５］リソース管理部６１は、正規受信セルは正常であると判断し、処理を継続する。すなわち、リソース管理部６１は、例えば、電子機器が通信装置である場合、通信処理（通話処理）が終了するまで、信号ＩＮｒ１１，ＩＮｒ１２，…，ＩＮｒ１ｎが正規受信セルである受信処理回路５２ａ，５２ｂ，…，５２ｎによって受信処理されるように処理を継続する。
【００７３】
［ステップＳ２６］リソース管理部６１は、別リソースで信号が受信されるようにする。
［ステップＳ２７］リソース管理部６１は、別の予備受信セルによって受信処理が行われるように制御する。
【００７４】
［ステップＳ２８］故障検出部５７は、リソース管理部６１の制御に基づいて、正規受信セルによって受信処理され、多重化された信号と、ステップＳ２７の予備受信セルによって受信処理され、多重化された信号とのＥｏｒによる比較を行う。比較結果が一致すれば、ステップＳ２５へ進む。比較結果が一致しなければ、ステップＳ２９へ進む。
【００７５】
［ステップＳ２９］リソース管理部６１は、Ｅｏｒによる一致比較がＯＫになるまで、予備受信セルを切替え（セルは３以上存在しているとする）、処理を繰り返す。この間、故障検出部５７によって、正規受信セルと予備受信セルとの比較結果が一致すれば、ステップＳ２５へ進む。正規受信セルと予備受信セルの全てにおいて、比較結果が一致しない場合、すなわち、正規受信セルに故障が発生している場合、ステップＳ３０へ進む。
【００７６】
［ステップＳ３０］リソース管理部６１は、別リソースで信号が受信されるようにする。
［ステップＳ３１］リソース管理部６１は、別の正規受信セルによって受信処理が行われるように制御する。例えば、空きセルの受信処理回路５３ａ，５３ｂ，…，５３ｎを正規受信セルとして、受信処理が行われるように制御する。
【００７７】
［ステップＳ３２］故障検出部５７は、リソース管理部６１の制御に基づいて、ステップＳ３１の正規受信セルによって受信処理され、多重化された信号と、予備受信セルによって受信処理され、多重化された信号とのＥｏｒによる比較を行う。比較結果が一致すれば、ステップＳ２５へ進む。比較結果が一致しなければ、ステップＳ３３へ進む。
【００７８】
［ステップＳ３３］リソース管理部６１は、故障検出部５７の比較結果が一致するまで、予備受信セルを切替え、処理を繰り返す。全ての予備受信セルにおいて、比較結果が一致しなかった場合、次の正規受信セルに切替える。これを全てのセルにおいて行い、比較結果が一致しなかった場合、警告信号ＡＬＭ１を出力する。すなわち、全てのセルに対応する受信処理回路が故障である場合、警告信号ＡＬＭ１を出力する。
【００７９】
なお、送信系においても、上記のフローと同様の動作をし、その説明を省略する。
このように、電子機器は、故障検出部５７から警告信号が出力されると、警告信号が出力されなくなるまで、空いたセルに対応している受信処理回路および送信処理回路を切替えていく。そして、全ての空いたセルに対応している受信処理回路および送信処理回路において、警告信号が出力されると、運用中のセルに対応している受信処理回路および送信処理回路を切替えていく。これによって、あるチャネルに故障が発生すると、適正なセルに切替え、通信処理を続行することができる。
【００８０】
また、故障した受信処理回路および送信処理回路を特定することが可能となる。例えば、図９で説明したように、ある正規受信セルにおいて、全ての予備受信セルとの比較結果が一致しなかった場合、その正規受信セルは故障していると判断することができる。
【００８１】
次に、本発明の第５の実施の形態を、図面を参照して詳細に説明する。移動通信における基地局の通信装置では、ダイバシチ機能を持ち、１チャネルを複数のブランチ（例えば２ブランチ）の構成としているものがある。そこで、第５の実施の形態では、各ブランチの出力結果を比較して、故障の検出を行う。
【００８２】
図１０は、第５の実施の形態に係る電子機器のブロック構成図である。図に示すように電子機器は、ＣＨ１＿ＡＮＴ１処理回路７１ａａ、ＣＨ１＿ＡＮＴ２処理回路７１ｂａ、…、ＣＨｎ＿ＡＮＴ１処理回路７１ａｎ、ＣＨｎ＿ＡＮＴ２処理回路７１ｂｎ、合成処理回路７２ａ，…，７２ｎ、比較部７３、故障検出部７４、およびリソース管理部７５を有している。
【００８３】
電子機器は、例えば、基地局に設置され、端末とＩＭＴ−２０００の通信をする通信装置である。電子機器には、アンテナで受信された信号ＩＮｒ４１が入力される。電子機器は、ダイバシチ機能を持ち、例えば、１チャネルにつき、２ブランチで受信処理を行う。
【００８４】
ＣＨ１＿ＡＮＴ１処理回路７１ａａとＣＨ１＿ＡＮＴ２処理回路７１ｂａは、信号ＩＮｒ４１に多重されているチャネル１の受信処理を行う。すなわち、ＣＨ１＿ＡＮＴ１処理回路７１ａａとＣＨ１＿ＡＮＴ２処理回路７１ｂａは、チャネル１の信号に対し、２ブランチの構成となっている。ＣＨ１＿ＡＮＴ１処理回路７１ａａとＣＨ１＿ＡＮＴ２処理回路７１ｂａは、リソース管理部７５の制御信号に基づいて受信処理を行う。以下、同様にＣＨｎ＿ＡＮＴ１処理回路７１ａｎとＣＨｎ＿ＡＮＴ２処理回路７１ｂｎも、２ブランチの構成となっており、信号ＩＮｒ４１に多重されているチャネルｎの受信処理を行う。
【００８５】
合成処理回路７２ａ，…，７２ｎは、ＣＨ１＿ＡＮＴ１処理回路７１ａａ、ＣＨ１＿ＡＮＴ２処理回路７１ｂａ、…、ＣＨｎ＿ＡＮＴ１処理回路７１ａｎ、ＣＨｎ＿ＡＮＴ２処理回路７１ｂｎから出力される信号を合成し、信号ＯＵＴｒ４１，…，ＯＵＴｒ４ｎを内部回路に出力する。
【００８６】
比較部７３は、各チャネルのＣＨ１＿ＡＮＴ１処理回路７１ａａ、ＣＨ１＿ＡＮＴ２処理回路７１ｂａ、…、ＣＨｎ＿ＡＮＴ１処理回路７１ａｎ、ＣＨｎ＿ＡＮＴ２処理回路７１ｂｎから出力される信号を比較する。比較部７３は、一致検出部７３ａ，…，７３ｎを有している。
【００８７】
一致検出部７３ａは、チャネル１のＣＨ１＿ＡＮＴ１処理回路７１ａａとＣＨ１＿ＡＮＴ２処理回路７１ｂａから出力される信号を比較する。以下同様にして、一致検出部７３ｎは、チャネルｎのＣＨｎ＿ＡＮＴ１処理回路７１ａｎとＣＨｎ＿ＡＮＴ２処理回路７１ｂｎから出力される信号を比較する。
【００８８】
故障検出部７４は、比較部７３から比較結果が一致していない旨を信号が出力されると、故障が発生したことを検出する。
電子機器は、ダイバシチ機能のため、上記のように、信号ＩＮｒ４１に含まれる各チャネルに対し、複数のブランチ（図の例では２ブランチ）の受信処理回路（ＣＨ１＿ＡＮＴ１処理回路７１ａａ、ＣＨ１＿ＡＮＴ２処理回路７１ｂａ、…、ＣＨｎ＿ＡＮＴ１処理回路７１ａｎ、ＣＨｎ＿ＡＮＴ２処理回路７１ｂｎ）を有する。各チャネルの受信処理回路は、リソース管理部７５からの制御信号に含まれるパラメータによって、信号ＩＮｒ４１に対し異なる位相処理等を行って出力する。
【００８９】
しかし、仕様によっては、ダイバシチ機能が不要の場合がある。この場合、各チャネルの受信処理回路の一方は、不要となる。そこで、一方の受信処理回路に、他方の受信処理回路と同じパラメータの制御信号を与え、信号ＩＮｒ４１に対し、同じ受信処理を行うようにする。これによって、各チャネルの２つの受信処理回路からは、回路が正常であれば、同じ信号が出力されることになる。
【００９０】
従って、比較部７３によって、ＣＨ１＿ＡＮＴ１処理回路７１ａａ、ＣＨ１＿ＡＮＴ２処理回路７１ｂａ、…、ＣＨｎ＿ＡＮＴ１処理回路７１ａｎ、ＣＨｎ＿ＡＮＴ２処理回路７１ｂｎから出力される信号を比較することにより、各チャネルのＣＨ１＿ＡＮＴ１処理回路７１ａａ、ＣＨ１＿ＡＮＴ２処理回路７１ｂａ、…、ＣＨｎ＿ＡＮＴ１処理回路７１ａｎ、ＣＨｎ＿ＡＮＴ２処理回路７１ｂｎの故障を検出できる。
【００９１】
このように、同じチャネルの信号処理を行う複数のブランチ（受信処理回路）において、同じ受信処理を行うようにし、その出力を比較することによって、故障を検出することができる。
【００９２】
次に、本発明の第６の実施の形態を、図面を参照して詳細に説明する。第５の実施の形態では、チャネルの故障の発生を知らせることはできるが、処理を適正なチャネルに切替えて、続行することはできない。第６の実施の形態では、あるチャネルに故障が発生すると、適正なチャネルに切替えて、処理を続行できるようにする。
【００９３】
図１１は、第６の実施の形態に係る電子機器のブロック構成図である。図において、図１０と同じ部分には同じ符号を付し、その詳細な説明は省略する。
リソース管理部８１には、故障検出部７４の警告信号が入力される。リソース管理部８１は、故障検出部７４から警告信号が出力されると、現在空いている受信処理回路に、現在動作中の受信処理回路と同様の受信処理を行わせる。
【００９４】
例えば、チャネル１に対応したＣＨ１＿ＡＮＴ１処理回路７１ａａとＣＨ１＿ＡＮＴ２処理回路７１ｂａとにおいて、警告信号が出力されたとする（故障検出がされたとする）。この場合、例えば、図示していないが、空きチャネルとなっているチャネル２に対応したＣＨ２＿ＡＮＴ１処理回路とＣＨ２＿ＡＮＴ２処理回路とに、ＣＨ１＿ＡＮＴ１処理回路７１ａａとＣＨ１＿ＡＮＴ２処理回路７１ｂａと同じ受信処理をさせる。リソース管理部８１は、この空きチャネルへの信号の切替えを、警告信号が出力されなくなるまで行う。
【００９５】
次に、図１１の電子機器の動作を、フロー図を用いて説明する。
図１２は、電子機器の動作を説明するフロー図である。
［ステップＳ４１］電子機器は、信号ＩＮｒ４１の受信を開始する。
【００９６】
［ステップＳ４２］リソース管理部８１は、ＣＨ１＿ＡＮＴ１処理回路７１ａａにおいて、信号ＩＮｒ４１の受信処理が行われるようにする。
［ステップＳ４３］リソース管理部８１は、ＣＨ１＿ＡＮＴ２処理回路７１ｂａにおいて、信号ＩＮｒ４１の受信処理が行われるようにする。なお、リソース管理部８１は、ＣＨ１＿ＡＮＴ２処理回路７１ｂａに対し、ＣＨ１＿ＡＮＴ１処理回路７１ａａと同じパラメータの制御信号を出力する。
【００９７】
［ステップＳ４４］比較部７３は、リソース管理部８１の制御に基づいて、ＣＨ１＿ＡＮＴ１処理回路７１ａａと、ＣＨ１＿ＡＮＴ２処理回路７１ｂａとから出力される信号のＥｏｒによる比較を行う。比較結果が一致すれば、ステップＳ４５へ進む。比較結果が一致しなければ、すなわち、ＣＨ１＿ＡＮＴ１処理回路７１ａａとＣＨ１＿ＡＮＴ２処理回路７１ｂａとのどちらか一方がまたは両方が故障している場合は、ステップＳ４６へ進む。
【００９８】
［ステップＳ４５］リソース管理部８１は、運用されるＣＨ１＿ＡＮＴ１処理回路７１ａａは正常であると判断し、処理を継続する。すなわち、リソース管理部８１は、例えば、電子機器が通信装置である場合、通信処理（通話処理）が終了するまで、信号ＩＮｒ４１がＣＨ１＿ＡＮＴ１処理回路７１ａａによって受信処理されるようにする。
【００９９】
［ステップＳ４６］リソース管理部８１は、別の空きチャネルに対応する受信処理回路によって受信処理が行われるように制御する。
［ステップＳ４７，Ｓ４８］リソース管理部８１は、例えば、チャネル２が空いている場合、チャネル２のＣＨ２＿ＡＮＴ１処理回路とＣＨ２＿ＡＮＴ２処理回路とによって受信処理が行われるように制御する。
【０１００】
［ステップＳ４９］比較部７３は、リソース管理部８１の制御に基づいて、ＣＨ２＿ＡＮＴ１処理回路、ＣＨ２＿ＡＮＴ２処理回路から出力される信号のＥｏｒによる比較を行う。比較結果が一致すれば、ステップＳ４５へ進む。比較結果が一致しなければ、すなわち、ＣＨ２＿ＡＮＴ１処理回路とＣＨ２＿ＡＮＴ２処理回路とのどちらか一方がまたは両方が故障している場合は、ステップＳ５０へ進む。
【０１０１】
［ステップＳ５０］リソース管理部８１は、比較部７３の比較結果が一致するまで、空いているチャネルのＣＨ３＿ＡＮＴ１処理回路、ＣＨ３＿ＡＮＴ２処理回路、…、ＣＨｎ＿ＡＮＴ１処理回路、ＣＨｎ＿ＡＮＴ２処理回路と、受信処理回路を切替えていく。全ての空いていた受信処理回路において、比較結果が一致しなかった場合、故障検出部７４は、警告信号ＡＬＭ１を出力する。すなわち、この場合、故障検出部７４は、全てのチャネルにおけるＣＨ１＿ＡＮＴ１処理回路７１ａａ、ＣＨ１＿ＡＮＴ２処理回路７１ｂａ、…、ＣＨｎ＿ＡＮＴ１処理回路７１ａｎ、ＣＨｎ＿ＡＮＴ２処理回路７１ｂｎが故障していると判断する。
【０１０２】
このように、電子機器は、故障検出部７４から警告信号が出力されると、警告信号が出力されなくなるまで、空いたチャネルの受信処理回路を切替えていく。これによって、正常な受信処理回路において信号の処理を行うことができるようになる。
【０１０３】
次に、本発明の第７の実施の形態を、図面を参照して詳細に説明する。第５の実施の形態では、ダイバシチ機能を有する電子機器の受信処理について説明したが、第７の実施の形態では、送信処理の場合について説明する。
【０１０４】
図１３は、第７の実施の形態に係る電子機器のブロック構成図である。図に示すように電子機器は、ＣＨ１＿ＡＮＴ１処理回路９１ａａ、ＣＨ１＿ＡＮＴ２処理回路９１ｂａ、…、ＣＨｎ＿ＡＮＴ１処理回路９１ａｎ、ＣＨｎ＿ＡＮＴ２処理回路９１ｂｎ、比較部９２、故障検出部９３、およびリソース管理部９４を有している。
【０１０５】
電子機器は、例えば、基地局に設置され、端末とＩＭＴ−２０００の通信をする通信装置である。電子機器には、各端末に送信する信号ＩＮｒ５１，…，ＩＮｒ５ｎが入力される。電子機器は、ダイバシチ機能を持ち、例えば、１チャネルにつき、２ブランチの送信処理を行う。
【０１０６】
ＣＨ１＿ＡＮＴ１処理回路９１ａａとＣＨ１＿ＡＮＴ２処理回路９１ｂａは、信号ＩＮｒ５１の送信処理を行う。ＣＨ１＿ＡＮＴ１処理回路９１ａａとＣＨ１＿ＡＮＴ２処理回路９１ｂａは、リソース管理部９４の制御信号に基づいて送信処理を行う。以下、同様にＣＨｎ＿ＡＮＴ１処理回路９１ａｎとＣＨｎ＿ＡＮＴ２処理回路９１ｂｎも、信号ＩＮｒ５ｎの送信処理を行う。
【０１０７】
比較部９２は、各チャネルのＣＨ１＿ＡＮＴ１処理回路９１ａａ、ＣＨ１＿ＡＮＴ２処理回路９１ｂａ、…、ＣＨｎ＿ＡＮＴ１処理回路９１ａｎ、ＣＨｎ＿ＡＮＴ２処理回路９１ｂｎから出力される信号を比較する。比較部９２は、一致検出部９２ａ，…，９２ｎを有している。
【０１０８】
一致検出部９２ａは、チャネル１のＣＨ１＿ＡＮＴ１処理回路９１ａａとＣＨ１＿ＡＮＴ２処理回路９１ｂａから出力される信号を比較する。以下同様にして、一致検出部９２ｎは、チャネルｎのＣＨｎ＿ＡＮＴ１処理回路９１ａｎとＣＨｎ＿ＡＮＴ２処理回路９１ｂｎから出力される信号を比較する。
【０１０９】
故障検出部９３は、比較部９２から比較結果が一致していない旨を信号が出力されると、故障が発生したことを検出する。
電子機器は、ダイバシチ機能のため、上記のように、各チャネルの信号ＩＮｒ５１，…，ＩＮｒ５ｎに対し、複数のブランチ（図の例では２ブランチ）の送信処理回路（ＣＨ１＿ＡＮＴ１処理回路９１ａａ、ＣＨ１＿ＡＮＴ２処理回路９１ｂａ、…、ＣＨｎ＿ＡＮＴ１処理回路９１ａｎ、ＣＨｎ＿ＡＮＴ２処理回路９１ｂｎ）を有する。各チャネルの送信処理回路は、リソース管理部９４からの制御信号に含まれるパラメータによって、信号ＩＮｒ５１，…，ＩＮｒ５ｎに対し異なる位相処理等を行って出力する。
【０１１０】
しかし、仕様によっては、ダイバシチ機能が不要の場合がある。この場合、各チャネルの送信処理回路の一方は、不要となる。そこで、一方の送信処理回路に、他方の送信処理回路と同じパラメータの制御信号を与え、信号ＩＮｒ５１，…，ＩＮｒ５ｎに対し、同じ送信処理を行うようにする。これによって、各チャネルの２つの送信処理回路からは、回路が正常であれば、同じ信号が出力されることになる。
【０１１１】
従って、比較部９２によって、ＣＨ１＿ＡＮＴ１処理回路９１ａａ、ＣＨ１＿ＡＮＴ２処理回路９１ｂａ、…、ＣＨｎ＿ＡＮＴ１処理回路９１ａｎ、ＣＨｎ＿ＡＮＴ２処理回路９１ｂｎから出力される信号を比較することにより、各チャネルのＣＨ１＿ＡＮＴ１処理回路９１ａａ、ＣＨ１＿ＡＮＴ２処理回路９１ｂａ、…、ＣＨｎ＿ＡＮＴ１処理回路９１ａｎ、ＣＨｎ＿ＡＮＴ２処理回路９１ｂｎの故障を検出できる。
【０１１２】
このように、同じチャネルの信号処理を行う複数のブランチ（送信処理回路）において、同じ送信処理を行うようにし、その出力を比較することによって、故障を検出することができる。
【０１１３】
次に、本発明の第８の実施の形態を、図面を参照して詳細に説明する。第７の実施の形態では、チャネルの故障の発生を知らせることはできるが、処理を適正なチャネルに切替えて、続行することはできない。第８の実施の形態では、あるチャネルに故障が発生すると、適正なチャネルに切替えて、処理を続行できるようにする。
【０１１４】
図１４は、第８の実施の形態に係る電子機器のブロック構成図である。図において、図１３と同じ部分には同じ符号を付し、その詳細な説明は省略する。
リソース管理部１０１には、故障検出部９３の警告信号が入力される。リソース管理部１０１は、故障検出部９３から警告信号が出力されると、現在空いている送信処理回路に、現在動作中の送信処理回路と同様の送信処理を行わせる。
【０１１５】
例えば、チャネル１に対応したＣＨ１＿ＡＮＴ１処理回路９１ａａとＣＨ１＿ＡＮＴ２処理回路９１ｂａとにおいて、警告信号が出力されたとする（故障検出がされたとする）。この場合、例えば、図示していないが、空きチャネルとなっているチャネル２に対応したＣＨ２＿ＡＮＴ１処理回路とＣＨ２＿ＡＮＴ２処理回路とに、ＣＨ１＿ＡＮＴ１処理回路９１ａａとＣＨ１＿ＡＮＴ２処理回路９１ｂａと同じ受信処理をさせる。リソース管理部１０１は、この空きチャネルへの信号の切替えを、警告信号が出力されなくなるまで行う。
【０１１６】
このように、電子機器は、故障検出部９３から警告信号が出力されると、警告信号が出力されなくなるまで、空いたチャネルに対応している送信処理回路を切替えていく。これによって、正常な送信処理回路において信号の処理を行うことができるようになる。
【０１１７】
（付記１）  故障検出を行う電子機器において、
同様の信号処理を行う複数の信号処理回路と、
前記複数の信号処理回路の前記信号処理を行っていない空き信号処理回路に、前記信号処理を行っている運用信号処理回路に入力されている信号を入力する信号方路手段と、
前記運用信号処理回路から出力される運用出力信号と前記空き信号処理回路から出力される空き出力信号とを比較して故障検出をする故障検出手段と、
を有することを特徴とする電子機器。
【０１１８】
（付記２）  前記信号方路手段は、前記故障検出手段の比較結果に基づいて前記信号を別の前記空き信号処理回路に入力することを特徴とする付記１記載の電子機器。
（付記３）  前記信号方路手段は、全ての前記空き信号処理回路に前記信号を入力しても前記故障検出手段の比較結果が一致しない場合、前記空き信号処理回路を前記運用信号処理回路とすることを特徴とする付記２記載の電子機器。
【０１１９】
（付記４）  ブロック単位に分けられた前記複数の信号処理回路から出力される出力信号を、前記ブロック単位ごとに多重化する多重回路をさらに有し、
前記信号方路手段は、前記ブロック単位の前記空き信号処理回路に、前記ブロック単位の前記運用信号処理回路に入力されている前記信号を入力し、
前記故障検出手段は、前記運用信号処理回路の前記出力信号を多重化した前記多重回路の運用多重信号と前記空き信号処理回路の前記出力信号を多重化した前記多重回路の空き多重信号とを比較する、
ことを特徴とする付記１記載の電子機器。
【０１２０】
（付記５）  前記信号方路手段は、前記故障検出手段の比較結果に基づいて前記信号を別の前記ブロック単位の前記空き信号処理回路に入力することを特徴とする付記４記載の電子機器。
【０１２１】
（付記６）  前記信号方路手段は、全ての前記ブロック単位の前記空き信号処理回路に前記信号を入力しても前記故障検出手段の比較結果が一致しない場合、前記ブロック単位の前記空き信号処理回路を前記ブロック単位の前記運用信号処理回路とすることを特徴とする付記５記載の電子機器。
【０１２２】
（付記７）  故障検出を行う電子機器において、
チャネルごとに複数設けられ、同じ前記チャネルの複数の信号を信号処理する信号処理回路と、
前記信号に対して前記信号処理回路が同じ前記信号処理をするように制御する信号処理制御手段と、
前記信号処理回路から出力される出力信号を比較して故障検出をする故障検出手段と、
を有することを特徴とする電子機器。
【０１２３】
（付記８）  前記信号処理制御手段は、当該電子機器がダイバシチ機能を有さない場合、前記信号に対し、前記信号処理回路が同じ前記信号処理をするように制御することを特徴とする付記７記載の電子機器。
【０１２４】
（付記９）  前記信号処理制御手段は、前記故障検出手段の比較結果が一致しない場合、前記信号を空きチャネルの前記信号処理回路に入力することを特徴とする付記７記載の電子機器。
【図面の簡単な説明】
【０１２５】
【図１】電子機器の概要を説明する図である。
【図２】第１の実施の形態に係る電子機器のブロック構成図である。
【図３】比較部の具体的なブロック構成図である。
【図４】故障検出部の具体的なブロック構成図である。
【図５】第２の実施の形態に係る電子機器のブロック構成図である。
【図６】電子機器の動作を説明するフロー図である。
【図７】第３の実施の形態に係る電子機器のブロック構成図である。
【図８】第４の実施の形態に係る電子機器のブロック構成図である。
【図９】電子機器の動作を説明するフロー図である。
【図１０】第５の実施の形態に係る電子機器のブロック構成図である。
【図１１】第６の実施の形態に係る電子機器のブロック構成図である。
【図１２】電子機器の動作を説明するフロー図である。
【図１３】第７の実施の形態に係る電子機器のブロック構成図である。
【図１４】第８の実施の形態に係る電子機器のブロック構成図である。
【符号の説明】
【０１２６】
１ａ，１ｂ，…，１ｎ  信号処理回路
２  信号方路手段
３  故障検出手段
【図１】
2007251495.tif 000003
【図２】
2007251495.tif 000004
【図３】
2007251495.tif 000005
【図４】
2007251495.tif 000006
【図５】
2007251495.tif 000007
【図６】
2007251495.tif 000008
【図７】
2007251495.tif 000009
【図８】
2007251495.tif 000010
【図９】
2007251495.tif 000011
【図１０】
2007251495.tif 000012
【図１１】
2007251495.tif 000013
【図１２】
2007251495.tif 000014
【図１３】
2007251495.tif 000015
【図１４】
2007251495.tif 000016